(57)【要約】【課題】巻き台板に巻き付けた糸の巻き方向が急激に変化しないように係止片を配置した釣り用仕掛け巻き台板を提供することである。【解決手段】釣り用仕掛け巻き台板１は、画用紙などの紙や合成樹脂製の板材に打ち抜き加工で形成した複数の係止片を円弧状に配して構成された内側の釣糸巻回部Ａと外側の釣糸巻回部Ｂが設けられ、内側の釣糸巻回部Ａは係止片１ａ、１ｂ、１ｃ、１ｄ、１ｅ、１ｆを円周上に配置して形成され、外側の釣糸巻回部Ｂは、一方の外側釣糸巻回部Ｂ′の係止片１ｇ、１ｈ、１ｉと他方の外側釣糸巻回部Ｂ″の係止片１ｊ、１ｋ、１ｍと内側の釣糸巻回部Ａの係止片１ａと係止片１ｄでＯ字形に構成されて係止片は夫々打ち抜き加工された切断側（先端側）の円弧状部分が台板１の表面から持ち上げ可能に形成されている。【選択図】    図４
2010252717.tif 000002
【特許請求の範囲】
【請求項１】
台板に複数の係止片を設けた釣糸巻回部を複数形成した釣り用仕掛け巻き台板において、前記複数の釣糸巻回部は互いに共通して釣糸を係止する係止片を有していることを特徴とする釣り用仕掛け巻き台板。
【請求項２】
複数の釣糸巻回部が内側と外側に夫々配されていることを特徴とする請求項１に記載の釣り用仕掛け巻き台板。
【発明の詳細な説明】
【技術分野】
【０００１】
本発明は、仕掛け糸を巻き付ける釣り用仕掛け巻き台板に関する。
【背景技術】
【０００２】
従来から特許文献１のように薄板の中心穴から同心円に沿いならんだ相隣る二つ一組の孔の多数組と、その組孔に両端を夫々連ねて上記薄板に入れるＵ字形切目に囲まれて外側に設けられる爪の列と、この各爪を上記薄板の表裏の一方に僅かに撓めて該薄板とがつくる隙間を幹糸の糸巻きにした例が示されている。
この糸巻きでは、他の形状の公知の糸巻きと同様に、釣り針に固定された釣糸の巻き方向が急激に変化されると、折り癖が付いて釣りを行うときに好ましくない。
【特許文献１】実開平２−５２５７１号公報
【発明の概要】
【発明が解決しようとする課題】
【０００３】
解決しようとする問題点は、釣糸の巻き方向が急激に変化されると、折り癖が付いて釣りを行うときに好ましくないことである。
【０００４】
本発明の目的は前記欠点に鑑み、巻き台板に巻き付けた糸の巻き方向が急激に変化しないように係止片を配置した釣り用仕掛け巻き台板を提供することである。
【課題を解決するための手段】
【０００５】
本発明の請求項１は、台板に複数の係止片を設けた釣糸巻回部を複数形成した釣り用仕掛け巻き台板において、前記複数の釣糸巻回部は互いに共通して釣糸を係止する係止片を有していることを要旨とするものである。
本発明の請求項２は、複数の釣糸巻回部が内側と外側に夫々配されていることを要旨とするものである。
【発明の効果】
【０００６】
本発明の請求項１、２によると、巻回する仕掛けをその部分ごとに内側の釣糸巻回部と外側の釣糸巻回部に巻き分けることでそれぞれの部分の仕掛けの状態や糸が異なっても（例えば、糸の太さの大小で伸び縮みが異なっても）それぞれの部分の糸が絡まることがなく、また内側の釣糸巻回部と外側の釣糸巻回部に移行する時に糸を急激に折り曲げることがないので糸に曲げ癖が付きにくい。
内側の釣糸巻回部の係止片が外側の釣糸巻回部の係止片群の一部を成して互いに共通して係止片を構成しているので、嵩張らずに巻き台板を形成することが出来る。
内側の釣糸巻回部の係止片が外側の釣糸巻回部の係止片群の一部を成して互いに共通して係止片を構成しているので、内側の釣糸巻回部に巻回された糸と外側の釣糸巻回部に巻回された糸の連続巻回がスム−ズになされる。
【産業上の利用可能性】
【０００７】
本発明は釣り用仕掛け巻き台板全般に利用できる。
【図面の簡単な説明】
【０００８】
【図１】第１実施例で、釣り用仕掛け巻き台板の平面図である。
【図２】同図１のＦ２−Ｆ２断面線の断面側面図である。
【図３】同（ａ）仕掛けの平面図と（ｂ）釣り用仕掛け巻き台板の平面図である。
【図４】同仕掛けが巻き付けられた釣り用仕掛け巻き台板の拡大平面図である。
【図５】第２実施例で、釣り用仕掛け巻き台板の平面図である。
【図６】同仕掛けが巻き付けられた釣り用仕掛け巻き台板の拡大平面図である。
【発明を実施するための最良の形態】
【０００９】
釣り用仕掛け巻き台板１は、画用紙などの紙や合成樹脂製の板材に打ち抜き加工で形成した複数の係止片を円弧状に配して構成された内側の釣糸巻回部Ａとその外側を取り巻くように形成した外側の釣糸巻回部Ｂが設けられている。
内側の釣糸巻回部Ａは係止片１ａ、１ｂ、１ｃ、１ｄ、１ｅ、１ｆを中心Ｃとかる円の円周上に配置して形成されて円形の囲い状の釣糸巻回ル−トＡＲを形成している。
外側の釣糸巻回部Ｂは、一方の外側釣糸巻回部Ｂ′と他方の外側釣糸巻回部Ｂ″と内側の釣糸巻回部Ａの係止片１ａと係止片１ｄで内側の釣糸巻回部Ａを取り囲む楕円形（Ｏ字形）の囲い状に形成され、釣糸巻回ル−トＢＲを形成している。
一方の外側釣糸巻回部Ｂ′は打ち抜き加工で短い円弧状の係止片１ｇ、１ｈ、１ｉを円周上に配置して形成されている。
他方の外側釣糸巻回部Ｂ″は打ち抜き加工で短い円弧状の係止片１ｊ、１ｋ、１ｍを円周上に配置して形成されている。
係止片は夫々台板１に連接された基端側が折曲され、打ち抜き加工された切断側（先端側）の円弧状部分が台板１の表面から持ち上げられ、台板１から打ち抜き孔を残して突出形成されている。
更に釣り用仕掛け巻き台板１には仕掛け２の始端ａを係止する係止片１ｎと道糸３の終端側を折り曲げる切欠き１ｏと道糸３の終端を係止する係止片１ｐが形成されている。
【実施例１】
【００１０】
以下、図示の実施例によって本発明を説明すると、図１から図３は第１実施例で、図１は釣り用仕掛け巻き台板の平面図、図２は図１のＦ２−Ｆ２断面線の断面側面図、図３（ａ）は仕掛けの平面図で（ｂ）は釣り用仕掛け巻き台板の平面図、図４は仕掛けが巻き付けられた釣り用仕掛け巻き台板の拡大平面図である。
【００１１】
釣り用仕掛け巻き台板１は、画用紙などの紙や合成樹脂製の板材に打ち抜き加工で形成した複数の係止片を円弧状に配して構成された内側の釣糸巻回部Ａとその外側を取り巻くように形成した外側の釣糸巻回部Ｂが設けられている。
内側の釣糸巻回部Ａは係止片１ａ、１ｂ、１ｃ、１ｄ、１ｅ、１ｆを中心Ｃとする円の円周上に配置して形成されて円形の囲い状の釣糸巻回ル−トＡＲを形成している。
外側の釣糸巻回部Ｂは、一方の外側釣糸巻回部Ｂ′と他方の外側釣糸巻回部Ｂ″と内側の釣糸巻回部Ａの係止片１ａと係止片１ｄで内側の釣糸巻回部Ａを取り囲む楕円形（Ｏ字形）の囲い状に形成され、釣糸巻回ル−トＢＲを形成している。
一方の外側釣糸巻回部Ｂ′は打ち抜き加工で短い円弧状の係止片１ｇ、１ｈ、１ｉを円周上に配置して形成されている。
他方の外側釣糸巻回部Ｂ″は打ち抜き加工で短い円弧状の係止片１ｊ、１ｋ、１ｍを円周上に配置して形成されている。
係止片は夫々台板１に連接された基端側が折曲され、打ち抜き加工された切断側（先端側）の円弧状部分が台板１の表面から持ち上げられ、台板１から打ち抜き孔を残して突出形成されている。
更に釣り用仕掛け巻き台板１には仕掛け２の始端ａを係止する係止片１ｎと道糸３の終端側を折り曲げる切欠き１ｏと道糸３の終端を係止する係止片１ｐが形成されている。
【００１２】
釣り用仕掛け巻き台板１に巻回される仕掛け２と道糸３は図２（ａ）のように、複数の釣り針４ａ、４ｂ、４ｃ、４ｄを取り付けたハリス５等の仕掛け２の糸の始端ａにヨリモドシ６とスナップ７と重錘８が取り付けられ、仕掛け２と道糸６の間にヨリモドシ９が取り付けられている。
【００１３】
釣り用仕掛け巻き台板１に仕掛け２と道糸３が巻回される時は、仕掛け２の糸の始端ａが係止片１ｎに係止されて内側の釣糸巻回部Ａの係止片１ｂから係止片１ｃ、係止片１ｄ、係止片１ｅ、係止片１ｆ、係止片１ａと１回転巻かれると共に最初の釣り針４ａが係止片１ａに係止され仕掛け２と糸は釣糸巻回ル−トＡＲに沿って一連の円形に巻回される。
次に釣り針４ｂが係止片１ｂに係止され、釣り針４ｃが係止片１ｃに係止され、釣り針４ｄが係止片１ｄに係止される。
仕掛け２はその後係止片１ｅ、係止片１ｆ、係止片１ａと巻かれてその後ヨリモドシ９の後の道糸３が外側の釣糸巻回部Ｂの一方の外側釣糸巻回部Ｂ′の係止片１ｇ、１ｈ、１ｉと係止片１ｄを通って外側の釣糸巻回部Ｂの他方の外側釣糸巻回部Ｂ″の係止片１ｊ、１ｋ、１ｍと係止片１ａを通って一方の外側釣糸巻回部Ｂ′の係止片１ｇ、１ｈ、１ｉと巻回され、更に係止片１ｄと外側の釣糸巻回部Ｂの他方の外側釣糸巻回部Ｂ″の係止片１ｊ、１ｋ、１ｍと係止片１ａと一方の外側釣糸巻回部Ｂ′の係止片１ｇ、１ｈ、１ｉと重ね巻きされ外側の釣糸巻回部Ｂに移行した仕掛け２の糸は釣糸巻回ル−トＢＲに沿って一連の楕円形に巻回される。
数回重ね巻きされた後道糸３の終端側を切欠き１ｏで折り曲げて釣り用仕掛け巻き台板１の中心方向に向かわせて道糸３の終端を係止片１ｐに係止させる。
【００１４】
前記のように釣り用仕掛け巻き台板１が構成されると、内側の釣糸巻回部Ａの係止片１ａ、１ｂ、１ｃ、１ｄ、１ｅ、１ｆに細い仕掛け２の糸が巻回されると共に、釣り針４ａが係止片１ａに、釣り針４ｂが係止片１ｂに、釣り針４ｃが係止片１ｃに、釣り針４ｄが係止片１ｄに係止され、外側の釣糸巻回部Ｂの係止片１ｇ、１ｈ、１ｉ、１ｊ、１ｋ、１ｍに太い道糸３が巻回されるので、糸の太さの大小で伸び縮みが異なっても糸が絡まることがなく、糸を急激に折り曲げることがないので糸に曲げ癖が付きにくい。
内側の釣糸巻回部Ａの係止片１ａ、１ｄが外側の釣糸巻回部Ｂの係止片群の一部を成して互いに共通して係止片を構成しているので、嵩張らずに巻き台板１を形成することが出来る。
内側の釣糸巻回部Ａの係止片１ａ、１ｄが外側の釣糸巻回部Ｂの係止片群の一部を成して互いに共通して係止片を構成しているので、内外の二重に形成した内側の釣糸巻回部Ａと外側の釣糸巻回部Ｂはそれぞれ囲い状（サ−クル状）に形成され、釣糸巻回ル−トＡＲと釣糸巻回ル−トＢＲの両サ−クル状は係止片１ａと係止片１ｄを共通にしてサ−クル形状の急な変化をせずに重なるようになって内側の釣糸巻回部Ａに巻回された糸と外側の釣糸巻回部Ｂに巻回された糸を移行した時の連続巻回がスム−ズになされ仕掛け２の糸の折り癖などが防止される。
【実施例２】
【００１５】
図５、図６は第２実施例で、図５は釣り用仕掛け巻き台板の平面図、図６は仕掛けが巻き付けられた釣り用仕掛け巻き台板の拡大平面図である。
【００１６】
釣り用仕掛け巻き台板１′は、画用紙などの紙や合成樹脂製の板材に打ち抜き加工で形成した複数の係止片を円弧状に配して構成された内側の釣糸巻回部Ａと外側の釣糸巻回部Ｃが設けられている。
内側の釣糸巻回部Ａは打ち抜き加工で短い円弧状の係止片１ａ、１ｂ、１ｃ、１ｄ、１ｅ、１ｆを円周上に配置して形成されている。
外側の釣糸巻回部Ｃは、内側の釣糸巻回部Ａより大径に形成されて打ち抜き加工で短い円弧状の係止片１ａと係止片１ｒ、１ｓ、１ｔ、１ｕ、１ｖを円周上に配置して形成されている。
内側の釣糸巻回部Ａと外側の釣糸巻回部Ｃは共に囲い状（サ−クル状）に形成され共通の係止片は１ａとなっている。
他の構成は前記第１実施例と略同一である。
【符号の説明】
【００１７】
１、１′  釣り用仕掛け巻き台板
１ａ、１ｂ、１ｃ、１ｄ、１ｅ、１ｆ、１ｇ、１ｈ、１ｉ、１ｊ、１ｋ、１ｍ、１ｎ、１ｐ、１ｒ、１ｓ、１ｔ、１ｕ、１ｖ  係止片
２  仕掛け
３  道糸
４ａ、４ｂ、４ｃ、４ｄ  釣り針
Ａ  内側の釣糸巻回部
Ｂ、Ｂ′、Ｂ″、Ｃ  外側の釣糸巻回部
【図１】
2010252717.tif 000003
【図２】
2010252717.tif 000004
【図３】
2010252717.tif 000005
【図４】
2010252717.tif 000006
【図５】
2010252717.tif 000007
【図６】
2010252717.tif 000008